(57)【特許請求の範囲】
【請求項１】
被記録材を支承すると共に、記録ヘッドから吐出され、被記録材の端辺から外れて打ち捨てられるインクを凹部に装着したインク吸収材によって吸収し回収するようにしたプラテンであって、
第１の端部と前記第１の端部の反対側の端部である第２の端部を備えた２本のリブ状の突起により構成され、前記２本のリブ状の突起を前記凹部に間隔を空けて、プラテンの長手方向の一方の端部であるホームポジション側の端部とは異なる部位に配設された分散壁であって、前記２本のリブ状の突起が、互いに前記間隔を徐々に狭めていくようにプラテンの長手方向の前記ホームポジション側の端部に向けて延びた、分散壁と、
前記インク吸収材の下方に備えられた廃液回収手段と、
前記分散壁において前記間隔が狭まった方の端部である前記第１の端部の間に設けられた穴部と、
前記分散壁の背面側の傾斜面において前記第２の端部に設けられた穴部と、
前記分散壁で集めたインクを前記第１の端部側の前記穴部あるいは前記第２の端部側の前記穴部から前記廃液回収手段に導く下方に延びた分散誘導部と、を備えたことを特徴とするプラテン。
【請求項２】
請求項１において、前記分散壁はプラテンの凹部に前記インク吸収材を装着した状態において、前記インク吸収材の表面に露呈しないような構造が採られていることを特徴とするプラテン。
【請求項３】
請求項１又は２において、前記インク吸収材には前記分散壁と対応する位置に切り込みが設けられており、前記インク吸収材をプラテンの前記凹部に装着する際に、当該切り込みに前記分散壁を嵌め込むようにすると共に、前記分散壁の高さは前記インク吸収材の厚さ以下になるように設定されていることを特徴とするプラテン。
【請求項４】
請求項１〜３のいずれか１項において、前記第２の端部の高さは前記分散壁における他の部位の高さに比べて低くなるように形成されていることを特徴とするプラテン。
【請求項５】
請求項１〜４のいずれか１項において、前記分散壁の前記第２の端部の高さはゼロであることを特徴とするプラテン。
【請求項６】
請求項１〜５のいずれか１項において、前記分散壁の前記第２の端部はプラテンの前記凹部における短手方向側の壁面に対して空隙部を有するよう、非接続状態で設けられていることを特徴とするプラテン。
【請求項７】
請求項１〜５のいずれか１項において、前記分散壁の前記第２の端部はプラテンの前記凹部における短手方向側の壁面に対して接続状態で設けられていることを特徴とするプラテン。
【発明の詳細な説明】
【技術分野】
【０００１】
本発明は、被記録材を支承すると共に、記録ヘッドから吐出され、被記録材の端辺から外れて打ち捨てられるインクを凹部に装着したインク吸収材によって吸収し回収するようにしたプラテン及び該プラテンを設けた記録装置に関する。  
更に本発明は、インク等の液体をそのヘッドから吐出（噴射）して被記録材（被液体噴射材）に記録を実行する（液体を付着する）インクジェット式記録装置などの液体噴射装置及び該液体噴射装置において設けられるプラテンに関するものである。
【０００２】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００３】
ここで、液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
以下、インクジェット式記録装置あるいは液体噴射装置の一例としてインクジェットプリンタを採り上げて説明する。近年、ホームＤＰＥと称されるが如く、銀塩写真並みの超高画質印刷を家庭で容易に実現可能なインクジェットプリンタが一般に広く普及してきている。このようなインクジェットプリンタには銀塩写真と同等な出力結果を得るために、４辺に余白無しで印刷する、いわゆる「フチ無し印刷」が実行可能に構成されたものが存在する。
【０００５】
このようなインクジェットプリンタの構成としては、記録ヘッドと対向して設けられ、用紙と記録ヘッドとの間のギャップ（いわゆるペーパーギャップ）ＰＧを規定するプラテンに凹部を設け、用紙端辺から外れた領域にインクを吐出すると共に、当該外れた領域に吐出するインクを前記凹部に打ち捨てる構成が一般的である。
【０００６】
ここで前記凹部には、打ち捨てられるインクのミスト化による浮遊を極力防止するためにインクを吸収するインク吸収材が設けられる。そしてインク吸収材に吸収されたインクはプラテンの下方に設けられた廃液回収手段としての廃液トレイ等に滴下するような構成が採用される（例えば、特許文献１参照）。
【０００７】
【特許文献１】特開２００２−８６７５７号公報
【発明の開示】
【発明が解決しようとする課題】
【０００８】
ところで、インク吸収材にある程度のインクが吸収されている状態で、例えば、輸送時等にインクジェットプリンタ等が傾いた姿勢（特に、使用時の姿勢から横に９０°寝かされた状態）に置かれると、吸収されているインクがインク吸収材の端部に集まり、オーバーフローして外部へ溢れ出てしまうおそれがある。
【０００９】
そこで本発明はこのような問題に鑑みなされたものであって、インクジェットプリンタ等が傾いた姿勢に置かれた場合でもインクが外部へ溢れ出ることの無いプラテン及び該プラテンを設けた記録装置等を提供することを課題とするものである。
【課題を解決するための手段】
【００１０】
上記課題を解決するために本発明の第１の態様に係るプラテンは、被記録材を支承すると共に、記録ヘッドから吐出され、被記録材の端辺から外れて打ち捨てられるインクを凹部に装着したインク吸収材によって吸収し回収するようにしたプラテンにおいて、前記凹部にはプラテンの凹部を実質的に複数の区画エリアに区画する分散壁が設けられており、該分散壁で集めたインクはプラテンのホームポジション側の端部とは異なる部位で、後段の廃液回収手段に導かれる分散誘導部を備えていることを特徴とするものである。
【００１１】
本発明の第１の態様によれば、インク吸収材中に浸透しインク吸収材の端部に向けて流れるインクは、分散壁の存在により、その進行が妨げられ、分散壁の傾斜に案内されて分散誘導部に至り、区画エリア毎のインク回収誘導経路を通って、廃液回収手段に導かれる。従って、インク吸収材中に含浸しているインクは、その全部がインク吸収材の端部に集中し、オーバーフローを起こすことはなく、区画エリア単位で廃液回収手段に導かれるため、記録装置を傾けたとしてもインクの外部への流出は防止される。
【００１２】
本発明の第２の態様に係るプラテンは、第１の態様において、前記分散壁はプラテンの凹部にインク吸収材を装着した状態において、インク吸収材の表面に露呈しないような構造が採られていることを特徴とするものである。本発明の第２の態様によれば、特に顔料系のインクを使用した場合に問題となる分散壁部分でのインクの流れの一時的停止、これにより引き起こされる大気との接触による乾燥、乾燥によって生ずる団化、堆積を防止できる。
【００１３】
本発明の第３の態様に係るプラテンは、第２の態様において、前記インク吸収材には分散壁と対応する位置に切り込みが設けられており、インク吸収材をプラテンの凹部に装着する際に、該切り込みに分散壁を嵌め込むようにすると共に、分散壁の高さはインク吸収材の厚さ以下になるように設定されていることを特徴とするものである。本発明の第３の態様によれば、インク吸収材を装着する際の位置合わせが容易になり、切り込みを押し広げて分散壁を嵌め込むことから、装着後のインク吸収材の位置ずれも防止される。
【００１４】
本発明の第４の態様に係るプラテンは、第１〜第３のいずれか１つの態様において、前記分散壁は平面視ハの字状に形成されており、プラテンの長手方向に沿うように横向きに配設されると共に、プラテンの短手方向両端に延びる分散壁の端辺側の高さは分散壁における他の部位の高さに比べて低くなるように形成されていることを特徴とするものである。本発明の第４の態様によれば、特にプラテンの凹部における短手方向側の壁面付近で問題となるインク吸収材の浮きのおそれが低減できる。またインク吸収材中を流れるインクの分散誘導部への流入を円滑にすることが可能となる。
【００１５】
本発明の第５の態様に係るプラテンは、第４の態様において、前記プラテンの短手方向両端に延びる分散壁の端辺側の高さはゼロであることを特徴とするものである。本発明の第５の態様によれば、プラテンの凹部における短手方向側の壁面付近ではインク吸収材の浮きの問題は生じない。
【００１６】
本発明の第６の態様に係るプラテンは、第４または第５の態様において、前記プラテンの短手方向両端に延びる分散壁の端部はプラテンの凹部における短手方向側の壁面に対して空隙部を有するよう、非接続状態で設けられていることを特徴とするものである。本発明の第６の態様によれば、プラテンの凹部における短手方向側の壁面付近には分散壁は存在しないから、当該部位ではインク吸収材の浮きの問題は生じない。
【００１７】
本発明の第７の態様に係るプラテンは、第４または第５の態様において、前記プラテンの短手方向両端に延びる分散壁の端部はプラテンの凹部における短手方向側の壁面に対して接続状態で設けられていることを特徴とするものである。本発明の第７の態様によれば、プラテンの凹部自体の区画はより明確になるから、プラテンの凹部上、あるいは凹部底面近傍のインク吸収材中を流れるインクについては、区画エリア毎のインクの回収が確実に実行できるようになる。
【００１８】
本発明の第８の態様に係るプラテンは、第２の態様において、前記インク吸収材は前記分散壁と対応する位置において明確に区画される複数の部材を組み合わせることによって構成されていることを特徴とするものである。本発明の第８の態様によれば、インク吸収材は分散壁の部分で完全に分離されているから、区画エリアを跨ってのインクの流入は生じない。
【００１９】
本発明の第９の態様に係るプラテンは、第１〜第８のいずれか１つの態様において、前記分散壁及び分散誘導部は記録装置の左右方向への傾きに対応できるように構成されていることを特徴とするものである。本発明の第９の態様によれば、特にプラテンの凹部を明確に区画した場合において問題となる、記録装置の傾き方向に左右されない区画エリア毎のインク回収誘導経路の確保が図られる。
【００２０】
本発明の第１０の態様に係る記録装置は、被記録材に記録を実行する記録ヘッドと、記録ヘッドに対向して所定のギャップを隔てて設けられ、被記録材を支承するプラテンとを備える記録装置において、前記プラテンは第１〜第９のいずれか１つの態様のプラテンであることを特徴とするものである。本発明の第１０の態様によれば、インク吸収材の長手方向両端でのインクの集中が防止されるから、記録装置を左右どちらの方向に傾けた場合でもインクのオーバーフローは起こらず、インクの外部への流出は防止される。
【００２１】
本発明の第１１の態様に係る液体噴射装置は、被液体噴射材に液体を噴射する液体噴射ヘッドと、液体噴射ヘッドに対向して所定のギャップを隔てて設けられ、被液体噴射材を支承するプラテンとを備える液体噴射装置において、前記プラテンには液体噴射ヘッドから吐出され、被液体噴射材の端辺から外れて打ち捨てられる液体を回収する凹部が設けられており、該凹部にはプラテンの凹部を実質的に複数の区画エリアに区画する分散壁が設けられており、該分散壁で集めた液体はプラテンのホームポジション側の端部とは異なる部位で、後段の廃液回収手段に導かれる分散誘導部を備えていることを特徴とするものである。
【発明を実施するための最良の形態】
【００２２】
以下、本願発明に係るプラテン及び該プラテンを設けた液体噴射装置の一例である記録装置について説明する。最初に本願発明の液体噴射装置の一例である記録装置の一実施の形態としてインクジェットプリンタを採り上げて、その全体構成の概略を図面に基づいて説明する。図１はインクジェットプリンタのプリンタカバーを拡開した状態を示す斜視図、図２はインクジェットプリンタの概略を示す側断面図である。
【００２３】
インクジェットプリンタ１００には、被液体噴射材の一例である被記録材Ｐ（以下単に用紙Ｐともいう。）に記録を実行する液体噴射実行手段の一例である記録実行手段の主たる構成要素として、主走査方向Ｘに往復可能にキャリッジガイド軸１２によって軸支されたキャリッジ１０が設けられている。そして、該キャリッジ１０には用紙Ｐ等に液体の一例であるインクＧを吐出（噴射）して記録を行なう液体噴射ヘッドの一例である記録ヘッド１３が搭載されている。またキャリッジ１０には液体カートリッジの一例であるインクカートリッジ１１が装着されている。
【００２４】
記録ヘッド１３の下方には、記録ヘッド１３と対向して記録ヘッド１３のヘッド面と用紙Ｐ等との間のギャップＰＧを規定するプラテン２８が設けられている。そしてキャリッジ１０とプラテン２８との間に用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを交互に繰り返すことによって用紙Ｐ等に記録が行われる。
【００２５】
次に、用紙Ｐの搬送経路に従ってインクジェットプリンタ１００の構成を更に説明する。先ず最も搬送方向上流側に用紙Ｐを積畳する被液体噴射材積畳部の一例である給送用トレイ５が設けられている。また給送用トレイ５には、用紙Ｐの側端面に当接し、副走査方向Ｙへの円滑な搬送を案内するエッジガイド１５が設けられている。給送用トレイ５上の用紙Ｐは、給送用ローラ１４の回転軸１７の回転に伴って、ホッパ１６が所定のタイミングで上昇し、給送用ローラ１４に向けて押し上げられる。
【００２６】
また、これらの給送用トレイ５、給送用ローラ１４及びホッパ１６を含む装置が自動給送装置２であり、給送用ローラ１４の回転に伴って最上面に位置する用紙Ｐから順番に給送用ローラ１４近傍に設けられる分離作用部の一例である分離パッド等の力を借りて単位数ずつピックアップして搬送方向下流に向かって送られる。
【００２７】
給送用ローラ１４の下流には、用紙Ｐの通過を検出する被液体噴射材検出手段の一例である図示しない被記録材検出手段（以下単に検出レバーという）が設けられており、検出レバーの下流には搬送用駆動ローラ１９ａと搬送用従動ローラ１９ｂとによって構成される搬送用ローラ１９が設けられている。このうち搬送用従動ローラ１９ｂは、搬送用従動ローラ用のローラホルダ１８の下流側において軸支され、当該ローラホルダ１８は、図示しない回転軸を中心に回動可能に設けられ、かつ図示しないねじりコイルばねによって搬送用従動ローラ１９ｂが常に搬送用駆動ローラ１９ａに圧接したニップ状態になるように回動付勢されている。
【００２８】
搬送用ローラ１９によって挟圧された状態で搬送される用紙Ｐは、記録ヘッド１３の下方の記録ポジション２６に導かれ、上述のキャリッジ１０及び用紙Ｐの動作によって用紙Ｐの記録面のほぼ全面に亘って所望の記録が実行される。記録ヘッド１３とその下方において、これと対向して設けられるプラテン２８とのギャップＰＧは高精度の記録を実行する上で極めて重要な要素となっており、用紙Ｐの厚さの変化に応じて適宜調節されるようになっている。
【００２９】
記録ヘッド１３の下流には、排出用駆動ローラ２０ａと、排出用ギザローラ２０ｂとによって構成される被液体噴射材排出手段の一例である排出用ローラ２０が設けられ、この排出用ローラ２０によって排出された用紙Ｐは更に下流に位置する被液体噴射材受け部の一例である排出用スタッカ５０上の載置面５１に排出されるようになっている。
【００３０】
排出用ギザローラ２０ｂは、その外周に複数の歯を有する歯付きローラであり、排出用ギザローラ用の図示しないローラホルダによって自由回転可能に軸支されている。排出用ギザローラ２０ｂの上流には補助ギザローラ２２が設けられ、用紙Ｐは該補助ギザローラ２２によってやや下方に押し付けられるようになっている。また搬送用従動ローラ１９ｂは搬送用駆動ローラ１９ａよりその軸芯位置がやや下流側に配設されていて、更に排出用ギザローラ２０ｂは排出用駆動ローラ２０ａよりその軸芯位置がやや上流側に配設されている。
【００３１】
このような構成によって用紙Ｐは、搬送用ローラ１９と排出用ローラ２０との間において僅かに下に凸となる俗に「逆ぞり」と呼ばれている湾曲状態となり、記録ヘッド１３に対向する位置にある用紙Ｐはプラテン２８に押し付けられ、これにより用紙Ｐの浮き上がりが防止され、正常に記録が実行されるようになっている。尚、補助ギザローラ２２は排出用ギザローラ２０ｂと同様に歯付きローラから構成されており、図示しない補助ギザローラ用のローラホルダに軸支されている。
【００３２】
［実施例］
次に、このようなインクジェットプリンタ１００に対して適用される本願発明に係るプラテンの構成を中心にインク回収誘導経路の構成とその作用状態について説明する。図３はインク吸収材を装着した状態のプラテンを示す平面図、図４は同上、ホームポジション側の一部を拡大して示す縦断正面図である。図５は同上、ホームポジション側の一部を拡大して示す平面図、図６はインク吸収材を装着する前の状態のプラテンを示す平面図である。
【００３３】
用紙Ｐと記録ヘッド１３との間のギャップＰＧを規定するプラテン２８の上面には、記録ヘッド１３と対向する面に直接、用紙Ｐを下方から支承するリブ２９が形成されている。またプラテン２８の上面には、記録ヘッド１３から吐出され、用紙Ｐの端辺から外れて打ち捨てられるインクＧを回収するための凹部３０が設けられており、これにより、用紙Ｐの端部において余白無く印刷を行う、いわゆる「フチ無し印刷」が実行可能となっている。
【００３４】
凹部３０には凹部３０に至ったインクＧを吸収し、吸収したインクＧを液体回収誘導経路の一例であるインク回収誘導経路後段に位置する廃液回収手段を構成する廃液トレイ３１に導く液体吸収材の一例であるインク吸収材１が装着される。インク吸収材１は、インクの吸収性に優れると共に、適度な柔軟性を有する材料、例えばフォーム（発泡体）材料によって形成される。インク吸収材１は、図３と図５に示す如く、所定の形状に打ち抜かれた平板形状をした一体部材であり、更にインク吸収材１には本発明の特徴的構成である分散壁３２と対応する位置に切り込み３３が貫通状態で設けられている。
【００３５】
プラテン２８の凹部３０における長手方向の一方の端部（本実施例ではキャリッジ１０のホームポジション側）寄りには分散壁３２が設けられている。分散壁３２は、２本のリブ状の突起を平面視ハの字状に配置することによって構成されている。また分散壁３２はプラテン２８の長手方向に沿うように横向きに配設されており、プラテン２８の短手方向両端に延びる分散壁３２の端辺と、これと対向する凹部３０の壁面との間には、空隙部３６が形成されている。
【００３６】
分散壁３２の高さは、インク吸収材１を装着した状態において、インク吸収材１の表面に分散壁３２が露呈しないよう、具体的にはインク吸収材１の厚さ以下になるように設定されている。また分散壁３２はプラテン２８の凹部３０を実質的に複数（本実施例では２つ）の区画エリア３０ａ、３０ｂに区画する役割を有しており、これにより、区画エリア３０ａ、３０ｂ毎のインク回収誘導経路が形成されている。
【００３７】
この他、プラテン２８の凹部３０には、凹部３０内を流れるインクＧをプラテン２８の下方に位置する廃液トレイ３１内に導くための連絡用の穴部４０が凹部３０の底面に、インク吸収材１の装着を確実にするための係止爪４１が凹部３０の側壁にそれぞれ複数設けられている。このうちプラテンのホームポジション側における穴部４０の側縁付近には、断面コの字状で、正面視矩形状のメインシュータ３７が下方に垂直に延長形成されている。
【００３８】
一方、他の部位における穴部４０の側縁付近には、分散誘導部として機能する断面コの字状で正面視三角形状の分散誘導シュータ３８が下方に向けて延長形成されている。尚、分散誘導シュータ３８のプラテン２８における凹部３０底面に対する取付角度は通常、水平状態にして使用されるプラテン２８を垂直に起立させた状態にした時に、分散誘導シュータ３８が幾分下向きに傾斜した状態となるような角度に設定されている。
【００３９】
次に、図４を使用して区画エリア毎に形成されるインク回収誘導経路の構成とその作用状態について説明する。本実施例では、分散壁３２は一個所のみ設けられている。これにより区画される区画エリアは２つであり、そのうちホームポジション側のものを区画エリア３０ａ、これと反対側のフラッシングポジション側のものを区画エリア３０ｂとし、両者を識別する。区画エリア３０ａ、３０ｂにはそれぞれ連絡用の穴部４０が設けられており、この穴部４０を起点として各区画エリア３０ａ、３０ｂ毎のインク回収誘導経路が形成されている。
【００４０】
最初に区画エリア３０ａのインク回収誘導経路の構成とその作用状態について説明する。区画エリア３０ａは、穴部４０、メインシュータ３７、廃液トレイ３１及びメイン吸収材３４によって構成されている。穴部４０には区画エリア３０ａ内のインク吸収材１中に含浸しているインクＧの他、区画エリア３０ｂ内のインク吸収材１中に含浸しているインクＧで、空隙部３６を通って、あるいは分散壁３２を乗り越えて区画エリア３０ａ内に進入したインクＧも流入する。穴部４０から流入したインクＧはメインシュータ３７を伝って下方に滴下され、廃液トレイ３１内のメイン吸収材３４の一段低い端部寄りの部分に到達する。
【００４１】
一方、区画エリア３０ｂのインク回収誘導経路は、穴部４０、分散誘導シュータ３８、廃液トレイ３１及びメイン吸収材３４によって構成されており、更に穴部４０の上流側には、穴部４０へのインクＧの流入案内作用をする分散壁３２が設けられている。穴部４０には基本的に区画エリア３０ｂ内のインク吸収材１中に含浸しているインクＧのみが流入する。
【００４２】
穴部４０から流入したインクＧは、分散誘導シュータ３８の傾斜に沿って伝い、下方に向けて流れ、廃液トレイ３１内のメイン吸収材３４の一段高い部分に到達する。従って、インク吸収材１中に含浸しているインクＧはインクジェットプリンタ１００を傾けたとしても１個所に集中してしまうようなことはなく、分散された状態で、廃液トレイ３１内に回収されるのである。
【００４３】
［他の実施例］
本願発明に係るプラテン及び該プラテンを設けた記録装置等は、以上述べたような構成を基本とするものであるが、本願発明の要旨を逸脱しない範囲内の部分的構成の変更や省略等を行なうことも勿論可能である。例えば、図７（ａ）〜（ｃ）に示す如く、分散壁３２の高さは一様でなくてもよく、図７（ａ）、（ｂ）に示す如く、凹部３０の短手側壁面に近付くに連れて徐々に高さが減少して行くものであってもよいし、図７（ｃ）に示す如く、凹部３０の短手側壁面に近い部分が他の部位に比べて一段低くなるような構成であってもよい。
【００４４】
また凹部３０の短手側壁面との間には、図７（ｂ）〜（ｄ）に示す如く、空隙部３６を有しない構成とすることも可能である。このうち図７（ｄ）に示す分散壁３２はプラテン２８の凹部３０を完全に区画するものであり、その場合において、インクジェットプリンタ１００を左右何れに傾けた場合でもインク回収誘導経路が形成されるようにする図８に示すような構成を採用することが可能である。
【００４５】
図８に示す実施例では、インク吸収材１をホームポジション側の吸収材要素１ａと、フラッシングポジション側の吸収材要素１ｂとの２部材によって構成すると共に、これらを図７（ｄ）ないし図８に示す如く、凹部３０の短手側壁面に接続された分散壁３２によって区画された、各区画エリア３０ａ、３０ｂにそれぞれ別個に装着する。
【００４６】
プラテン２８の凹部３０には、分散壁３２の中央寄りの端辺に臨む位置に１個と、凹部３０の短手側壁面との接続部における楔状スペースに２個の、計３個の連絡用の穴部４０が設けられている。また穴部４０の側縁近傍には下方に向けてそれぞれ所定の方向に傾斜した分散誘導シュータ３８が延長形成されている。
【００４７】
このような構造のプラテン２８がホームポジション側が下になるように傾いた場合において、フラッシングポジション側の吸収材要素１ｂに含浸されたインクＧは分散壁３２の正規の傾斜面に案内されて、中央の穴部４０に流入し、廃液トレイ３１内のメイン吸収材３４中に至る。逆にフラッシングポジション側が下になるように傾いた場合において、ホームポジション側の吸収材要素１ａ中に含浸されたインクＧは分散壁３２の背面側の傾斜面に案内されて隅部の２つの穴部４０内に流入し、それぞれの分散誘導シュータ３８を伝って、廃液トレイ３１内のメイン吸収材３４中に到達し回収されるのである。
【産業上の利用可能性】
【００４８】
本発明は、インクジェットプリンタ等の記録装置の製造分野、より具体的には記録装置を傾けた場合にインクが外部に流出してしまうおそれがある場合に利用できる。
【図面の簡単な説明】
【００４９】
【図１】カバー拡開持のインクジェットプリンタを示す斜視図である。
【図２】インクジェットプリンタの概略を示す側断面図である。
【図３】インク吸収材装着後のプラテンを示す平面図である。
【図４】同上、その一部を拡大して示す縦断正面図である。
【図５】同上、その一部を拡大して示す平面図である。
【図６】インク吸収材装着前のプラテンを示す平面図である。
【図７】分散壁の他の実施例を示す側断面図である。
【図８】プラテンの他の実施例を示す部分拡大平面図である。
【符号の説明】
【００５０】
１  インク吸収材、１ａ  （ホームポジション側の）吸収材要素、
１ｂ  （フラッシングポジション側の）吸収材要素、  ２  自動給送装置、
５  給送用トレイ、１０  キャリッジ、１１  インクカートリッジ、
１２  キャリッジガイド軸、１３  記録ヘッド、１４  給送用ローラ、
１５  エッジガイド、１６  ホッパ、１７  回転軸、
１８  ローラホルダ（搬送用従動ローラの）、１９  搬送用ローラ、
１９ａ  搬送用駆動ローラ、１９ｂ  搬送用従動ローラ、２０  排出用ローラ、
２０ａ  排出用駆動ローラ、２０ｂ  排出用ギザローラ、２２  補助ギザローラ、
２６  記録ポジション、２８  プラテン、２９  リブ、３０  凹部、
３０ａ  （ホームポジション側の）区画エリア、
３０ｂ  （フラッシングポジション側の）区画エリア、
３１  廃液トレイ（廃液回収手段）、３２  分散壁、３４  メイン吸収材、
３６  空隙部、３７  メインシュータ、３８  分散誘導シュータ（分散誘導部）、
４０  （連絡用の）穴部、４１  係止爪、５０  排出用スタッカ、５１  載置面、
１００  インクジェットプリンタ（記録装置）、  Ｐ  用紙（被記録材）、
Ｘ  主走査方向、  Ｙ  副走査方向、  ＰＧ  （記録ヘッドと被記録材との間の）ギャップ、  Ｇ  インク
【図１】
0004815097.tif 000002
【図２】
0004815097.tif 000003
【図３】
0004815097.tif 000004
【図４】
0004815097.tif 000005
【図５】
0004815097.tif 000006
【図６】
0004815097.tif 000007
【図７】
0004815097.tif 000008
【図８】
0004815097.tif 000009